(57)【要約】      （修正有）【課題】テレビ番組の放送中の、懸賞などのあて先を放送後でも表示されるようにする。【解決手段】  テレビ番組の映像信号を常時記録しておき、必要に応じて受信映像に切り換えて前記記録映像を表示し、「宛先」や「ＵＲＬ」などの文字情報の確認を可能とする。目的は文字情報等の確認であるから、記録は例えば１秒単位でフレームやフィールドを記録すれば足り、読み出しも静止画として読み出せばよい。【選択図】  図１
2007300246.tif 000002
【特許請求の範囲】
【請求項１】
テレビ放送を受信するテレビ放送受信装置において、
映像信号を常に一時的に記録する記録手段を具備したことを特徴とするテレビ放送受信装置。
【請求項２】
テレビ放送を受信するテレビ放送受信装置において、
映像信号の表示と並行して映像信号を常に一時的に記録する記録手段を具備したことを特徴とするテレビ放送受信装置。
【請求項３】
テレビ放送を受信するテレビ放送受信装置において、
映像信号を常に一時的に記録する記録手段を具備し、
該記録手段は、記録された映像信号を読み出している間は、新たな映像信号の書き込みを禁止することを特徴とするテレビ放送受信装置。
【請求項４】
テレビ放送を受信するテレビ放送受信装置において、
映像信号を常に一時的に記録する記録手段と、
受信された映像信号と前記記録手段に記録された映像信号とを選択してまたは同時に表示する表示制御手段と、を具備し、
該表示制御手段で前記記録手段に記録された映像信号の表示を開始した時は、前記記録手段への新たな映像信号の書き込みを禁止し、前記表示制御手段で前記記録手段に記録された映像信号の表示を終了した時は、再び前記記録手段への新たな映像信号の書き込みを開始することを特徴とするテレビ放送受信装置。
【請求項５】
テレビ放送を受信するテレビ放送受信装置において、
映像信号のデータを削減するデータ削減手段と、
該データの削減をされた映像信号を常に一時的に記録する記録手段と、を具備したことを特徴とするテレビ放送受信装置。
【請求項６】
テレビ放送を受信するテレビ放送受信装置において、
映像信号のデータを削減するデータ削減手段と、
映像信号の表示と並行して該データの削減をされた映像信号を常に一時的に記録する記録手段と、を具備したことを特徴とするテレビ放送受信装置。
【請求項７】
テレビ放送を受信するテレビ放送受信装置において、
映像信号のデータを削減するデータ削減手段と、
該データの削減をされた映像信号を常に一時的に記録する記録手段と、を具備し、
該記録手段は、記録された映像信号を読み出している間は、新たな映像信号の書き込みを禁止することを特徴とするテレビ放送受信装置。
【請求項８】
テレビ放送を受信するテレビ放送受信装置において、
映像信号のデータを削減するデータ削減手段と、
該データの削減をされた映像信号を常に一時的に記録する記録手段と、
受信された映像信号と前記記録手段に記録された映像信号とを選択してまたは同時に表示する表示制御手段と、を具備し、
該表示制御手段で前記記録手段に記録された映像信号の表示を開始した時は、前記記録手段への新たな映像信号の書き込みを禁止し、前記表示制御手段で前記記録手段に記録された映像信号の表示を終了した時は、再び前記記録手段への新たな映像信号の書き込みを開始することを特徴とするテレビ放送受信装置。
【請求項９】
請求項１乃至請求項８の何れかに記載のテレビ放送受信装置において、
前記記録手段への映像信号の書き込みは、エンドレス形式で書き込むことを特徴とするテレビ放送受信装置。
【請求項１０】
請求項１乃至請求項８の何れかに記載のテレビ放送受信装置において、
前記記録手段からの映像信号の読み出しは、静止画として読み出すことを特徴とするテレビ放送受信装置。
【発明の詳細な説明】
【技術分野】
【０００１】
本発明はテレビ放送の受信装置に係り、特に、番組放送中に表示されたテロップなどの情報を逃さず記録する機能を有したテレビ放送受信装置である。
【背景技術】
【０００２】
テレビ番組の放送中に、懸賞などのあて先（住所やインターネットのＵＲＬなど）が画面に表示されることがある（図３参照）。
【０００３】
このような「あて先の表示」は短時間で表示が消えてしまうため、メモに書きとめようとしても間に合わない場合がある。
【０００４】
以上のような問題に対して、特許文献１に開示されているような解決手段が提案されている。
【特許文献１】特開２００１−１１１９１０号公報
【発明の開示】
【発明が解決しようとする課題】
【０００５】
特許文献１の方法は、画面に表示されたテロップの領域を抽出して、その領域の文字を認識した上で、テキストデータとして記録するものである。
【０００６】
このような特許文献１の方法では、文字認識において誤認識があった場合、間違った住所などがテキストデータとして保存されてしまうという問題がある。
【課題を解決するための手段】
【０００７】
本発明は、かかる課題に鑑み、これを解決するため、以下のような手段を講じた。
【０００８】
即ち、本発明に係るテレビ放送受信装置は、映像信号を常に一時的に記録する記録手段を具備したものである。
【０００９】
また、映像信号の表示と並行して映像信号を常に一時的に記録する記録手段を具備したものである。
【００１０】
ここで、前記記録手段は、記録された映像信号を読み出している間は、新たな映像信号の書き込みを禁止するようにしたものである。
【００１１】
加えて、映像信号のデータを削減するデータ削減手段と、該データの削減をされた映像信号を常に一時的に記録する記録手段と、を具備したものである。
【００１２】
更に、映像信号のデータを削減するデータ削減手段と、映像信号の表示と並行して該データの削減をされた映像信号を常に一時的に記録する記録手段と、を具備したものである。
【００１３】
ここで、前記記録手段は、記録された映像信号を読み出している間は、新たな映像信号の書き込みを禁止するようにしたものである。
【００１４】
また、前記記録手段への映像信号の書き込みは、エンドレス形式で書き込むようにしたものである。
【００１５】
また、前記記録手段からの映像信号の読み出しは、静止画として読み出すようにしたものである。
【発明の効果】
【００１６】
本発明に係るテレビ放送受信装置によれば、番組視聴中に画面に短時間表示されるテロップの情報などを逃さず取得することができる。
【発明を実施するための最良の形態】
【００１７】
図１は、本発明に係るテレビ放送受信装置の第一の実施形態のブロック図である。
【００１８】
図１において、１０１は放送を受信するチューナ部であり、１０２は受信した放送信号をテレビ画面上に表示できる形態に処理する映像処理部であり、１０３は映像信号を一時的に記録する記録部であり、１０４は映像処理部１０２からの映像信号と記録部１０３からの映像信号を所定の態様で表示するように制御する表示制御部であり、１０５は映像信号を表示する画面表示部であり、１０６は装置全体の制御を司る制御部である。
【００１９】
図１では、受信されたテレビ放送波は、チューナ部１０１で、所定の伝送チャンネルに選局される。その選局された放送波は、映像処理部１０２で復号化、信号伸張などの処理を施され、テレビ画面に表示できる信号形態に復元される。
【００２０】
この復元された映像信号は、表示制御部１０４を介して画面表示部１０５に表示される。同時に、この映像信号は記録部１０３に記録される。
【００２１】
ここで、この記録部１０３への映像信号の記録は、使用者の操作や意図に係らず常時記録される。番組視聴中に画面に表示されるテロップなどはいつ表示されるか分からず、かつ、短時間であるため、テロップが表示されてから使用者の操作により記録を開始したのでは、間に合わないことがあるためである。この構成により、番組視聴中に画面に短時間表示されるテロップの情報などを逃さず取得することができることになる。
【００２２】
また、テロップなどの情報の表示は短時間であること、および、懸賞のあて先などの情報は、使用者が応募しようと思い立ったときの一時期だけ保存されていれば足りるため、記録部のメモリ容量としては、数分程度の映像信号が記録できるもので足り、メモリ容量がいっぱいになった場合は、順次古い情報の部分から上書きをすれば足りる。
【００２３】
表示制御部１０４では、通常は映像処理部１０２からの映像信号を選択して画面表示部１０５へ出力する。一方、記録部１０３の映像を表示する場合は、記録部１０３の映像を選択して、または、映像処理部１０２からの映像信号に重畳して画面表示部１０５へ出力する。
【００２４】
尚、記録部１０３は、映像処理部１０２と表示制御部１０４の間に直列に入れる構成も考えられるが、その場合、画面表示部１０５に表示される映像信号は常に記録部１０３で一時記録された信号となる。そのため、記録部１０３への書込み／読み出しの時間だけ遅れた映像表示となり好ましくない。
【００２５】
よって、本実施形態のように、記録部１０３は、映像処理部１０２と表示制御部１０４の間に並列に挿入する構成が好ましい。
【００２６】
次に、画面にテロップが表示された場合の動作について説明する。
【００２７】
番組視聴中にテロップが表示され、このテロップの表示が消えた後にテロップの情報を見たい場合（もちろん、テロップの表示中でもかまわない）は、使用者はリモコンの操作などで記録部１０３からの映像の出力を指示する。
【００２８】
その指示は制御部１０６に入力され、制御部１０６は記録部１０３への新たな映像信号の記録を禁止する一方、記録部１０３から映像信号の読み出しを行なう。記録部１０３への新たな映像信号の記録を禁止するのは、本発明の場合、記録部１０３のメモリ容量が少ないため、記録部１０３からの映像信号の読み出し中に順次映像信号が書き換えられてしまうのを防止するためである。
【００２９】
表示制御部１０４は使用者からの操作により、または、予めの設定に従って、記録部１０３からの映像信号を画面表示部１０５に表示する。
【００３０】
ここで、記録部１０３からの映像信号の読み出しは、使用者からの操作に従って、静止画として、フレーム（またはフィールド）ごとに順次読み出すことが好ましい。記録部１０３からの映像信号の読み出しは、「あて先」や「ＵＲＬ」などの文字情報を確認することを目的とし、映像信号そのものの鑑賞を目的とするものではないからである。
【００３１】
使用者は、記録部１０３から読み出された映像信号に表示された「あて先」や「ＵＲＬ」などの文字情報の確認（または、メモへの書き止め）などを行った後は、リモコンの操作などで記録部１０３から読み出された映像信号の表示を終了する（即ち、画面表示部１０５には、映像処理部１０２からの映像信号が表示される）。同時に、記録部１０３では、記録された映像信号の読み出しを終了し、再び、映像処理部１０２からの映像信号の記録を始める。
【００３２】
次に、本発明に係るテレビ放送受信装置の第二の実施形態を説明する。
【００３３】
図２は、本発明に係るテレビ放送受信装置の第二の実施形態のブロック図である。
【００３４】
図１と同様の構成には図１と同じ符号を付し、説明は省略する。第一の実施形態との相違は、記録部１０３の前にデータ削減部２０１を設けた点である。
【００３５】
画面に表示されるテロップの表示は、短時間といっても数秒程度は表示される。これに対してテレビ放送の映像信号は１フィールドが１／６０秒単位で表示される（１フレームであれば１／３０秒単位）。
【００３６】
本発明においては、テロップに表示される「あて先」や「ＵＲＬ」などの文字情報が確認できれば良いので、全てのフィールド（またはフレーム）を記録部１０３に記録する必要はない。例えば、１秒単位でフィールド（またはフレーム）を記録すれば足りる。
【００３７】
更に、デジタル放送などでは、通常の映像信号は４Ｍｂｐｓから６Ｍｂｐｓ程度のビットレートで放送されている。本発明では、あて先などの文字情報が認識できる程度の解像度があればよいので、より低いビットレートで記録することができる。例えば、１Ｍｂｐｓから２Ｍｂｐｓ程度のビットレートで記録すれば足りる。
【００３８】
以上のようなフレームレートの削減、またはビットレートの削減をするのがデータ削減部２０１である。データの削減により記録部１０３のメモリ容量を少なくすることができる。
【００３９】
尚、記録部１０３には（読み出しが行われているとき以外は）常時映像信号が記録されていること、および、小容量のメモリ容量で足りることから、半導体メモリを用いることが好ましい。また、メモリ容量がいっぱいになった場合は、古いデータを順次捨てて新しいデータを記録すれば良いので、ＦＩＦＯ形式のメモリが適している。若しくは、古いデータの部分に順次新しいデータを上書きして記録（所謂、エンドレス形式で記録）しても良い。加えて、その記録は一時的なもので良いので、揮発性のメモリで足りる。
【図面の簡単な説明】
【００４０】
【図１】本発明に係るテレビ放送受信装置の第一の実施形態のブロック図である。
【図２】本発明に係るテレビ放送受信装置の第二の実施形態のブロック図である。
【図３】テロップが表示された画面例である。
【符号の説明】
【００４１】
１０１  チューナ
１０２  映像処理部
１０３  記録部
１０４  表示制御部
１０５  画面表示部
１０６  制御部
２０１  データ削減部
【図１】
2007300246.tif 000003
【図２】
2007300246.tif 000004
【図３】
2007300246.tif 000005